(57)【要約】【課題】接続先の切り替えが行われた場合に、接続先が不明になる可能性を低減する技術の提供。【解決手段】通話端末と接続して無線通信を行う通信部と、前記通信部を介して前記通話端末を制御してハンズフリー通話を実現するハンズフリー通話制御部と、前記通話端末において通話中の接続先と保留中の接続先とが併存した場合、予め決められた期間毎に、前記通信部を介して前記通話端末の接続先を取得する接続先取得部と、取得された前記通話端末の接続先に基づいて、少なくとも前記通話中の接続先を案内する接続先案内部と、を備える接続先案内システムを構成する。【選択図】図１
2018026739.tif 000002
【特許請求の範囲】
【請求項１】
通話端末と接続して無線通信を行う通信部と、
前記通信部を介して前記通話端末を制御してハンズフリー通話を実現するハンズフリー通話制御部と、
前記通話端末において通話中の接続先と保留中の接続先とが併存した場合、予め決められた期間毎に、前記通信部を介して前記通話端末の接続先を取得する接続先取得部と、
取得された前記通話端末の接続先に基づいて、少なくとも前記通話中の接続先を案内する接続先案内部と、
を備える接続先案内システム。
【請求項２】
前記接続先取得部は、
取得された前記通話端末の接続先が１個である場合、前記通話端末の接続先の取得を停止し、
前記接続先案内部は、
取得された前記通話端末の接続先が示す前記通話中の接続先を案内する、
請求項１に記載の接続先案内システム。
【請求項３】
コンピュータを、
通話端末と接続して無線通信を行う通信部、
前記通信部を介して前記通話端末を制御してハンズフリー通話を実現するハンズフリー通話制御部、
前記通話端末において通話中の接続先と保留中の接続先とが併存した場合、予め決められた期間毎に、前記通信部を介して前記通話端末の接続先を取得する接続先取得部、
取得された前記通話端末の接続先に基づいて、少なくとも前記通話中の接続先を案内する接続先案内部、
として機能させる接続先案内プログラム。
【発明の詳細な説明】
【技術分野】
【０００１】
本発明は、接続先案内システムおよび接続先案内プログラムに関する。
【背景技術】
【０００２】
従来、通話中に着信があった場合に通話を保留して着信した接続先に接続し、新たな着信について通話可能にする技術が知られている。また、通話端末自体を操作することなく通話を行えるようにするハンズフリー通話を実現する技術も知られている。当該ハンズフリー通話においては、通話端末と他の装置とを無線通信等によって接続し、当該他の装置を介して通話等が行われるが、当該通話に伴って利用者にとって不便と感じられる不具合が発生することがある。
【０００３】
例えば、特許文献１においては、ハンズフリー通話において通話相手の切り替えを実施する場合に携帯電話機から通話中の相手を表す情報が通知されないことが課題とされている。そして、特許文献１においては、割込着信があった場合に割込着信の通話相手を表す情報を表示する一方、割込着信の通話相手に切り替えられた場合に割込着信の通話相手を具体的に表示せず、割込着信を受けた後の通話中であることを表示する構成が開示されている。
【先行技術文献】
【特許文献】
【０００４】
【特許文献１】特許第４５０８１６９号公報
【発明の概要】
【発明が解決しようとする課題】
【０００５】
従来の技術においては、割込着信に対する通話が開始されると、接続先が具体的に特定できなくなるため、接続先が不明になり得る。特に、通信不良や携帯電話機に対する利用者の操作等によって２個の接続先の１個が切断されるなど、接続先の切り替えが行われると、接続先が具体的に特定されない表示では接続先が不明になり得る。
本発明は、前記課題にかんがみてなされたもので、接続先の切り替えが行われた場合に、接続先が不明になる可能性を低減することを目的とする。
【課題を解決するための手段】
【０００６】
上記の目的を達成するため、接続先案内システムは、通話端末と接続して無線通信を行う通信部と、通信部を介して通話端末を制御してハンズフリー通話を実現するハンズフリー通話制御部と、通話端末において通話中の接続先と保留中の接続先とが併存した場合、予め決められた期間毎に、通信部を介して通話端末の接続先を取得する接続先取得部と、取得された通話端末の接続先に基づいて、少なくとも通話中の接続先を案内する接続先案内部と、を備える。
【０００７】
また、上記の目的を達成するため、接続先案内プログラムは、コンピュータを、通話端末と接続して無線通信を行う通信部、通信部を介して通話端末を制御してハンズフリー通話を実現するハンズフリー通話制御部、通話端末において通話中の接続先と保留中の接続先とが併存した場合、予め決められた期間毎に、通信部を介して通話端末の接続先を取得する接続先取得部、取得された通話端末の接続先に基づいて、少なくとも通話中の接続先を案内する接続先案内部、として機能させる。
【０００８】
すなわち、通話端末においては、通信不良等によって通話中の接続先と保留中の接続先とのいずれかが切断されるなどして、接続先が変化し得る。従って、通話端末において通話中の接続先が案内されない構成が採用されている場合、接続先の変化が生じると接続先が不明になってしまう。また、ハンズフリー通話中であっても、通話端末を操作すれば、ハンズフリー機能を利用することなく利用者本人または他人が接続先を切り替えることが可能である。従って、通話端末において通話中の接続先が案内されない構成が採用されている場合、通話端末において接続先が切り替えられると接続先が不明になってしまう。
【０００９】
一方、接続先案内システムにおいて、常に（例えば一定期間毎に）接続先を確認するポーリングが行われる構成では、過度に電力が消費されるとともに、通話端末における不具合（フリーズ等）を生じさせてしまうことがある。そこで、接続先案内システム、プログラムにおいては、通話端末において通話中の接続先と保留中の接続先とが併存した場合、予め決められた期間毎に、通信部を介して通話端末の接続先を取得する。
【００１０】
このため、接続先案内システムは、通話中と保留中の２個の接続先が併存する場合には、少なくとも当該期間毎に正確な接続先を特定することが可能になり、正確な接続先を案内することができる。従って、通話端末における通信不良等によって通話中の接続先と保留中の接続先とのいずれかが切断された場合や、利用者がハンズフリー機能によらずに通話端末側で接続先を切り替えたとしても接続先が不明になる可能性を低減することができる。また、通話中と保留中の２個の接続先が併存する場合に接続先が特定されるため、常に接続先の確認が行われる構成と比較して、電力消費を抑制し、通話端末における不具合が生じる可能性を低減することができる。
【図面の簡単な説明】
【００１１】
【図１】接続先案内システムを示すブロック図である。
【図２】接続先案内処理を示すフローチャートである。
【図３】接続先案内処理を示すフローチャートである。
【図４】図４Ａ，図４Ｂ，図４Ｃ，図４Ｄは案内例を示す図である。
【発明を実施するための形態】
【００１２】
ここでは、下記の順序に従って本発明の実施の形態について説明する。
（１）ナビゲーションシステムの構成：
（２）接続先案内処理：
（３）他の実施形態：
【００１３】
（１）ナビゲーションシステムの構成：
図１は、本発明の一実施形態である接続先案内システムとして機能するナビゲーションシステム１０の構成を示すブロック図である。ナビゲーションシステム１０は、ＣＰＵ、ＲＯＭ、ＲＡＭ等を備える制御部２０を備えており、制御部２０は、当該ＲＯＭや図示しない記録媒体に記録されたナビゲーションプログラムを実行することができる。本実施形態においては、接続先案内プログラム２１がナビゲーションプログラムの一部を構成している。
【００１４】
制御部２０は、ナビゲーションプログラムの機能により利用者による目的地の入力を受け付け、車両の現在地から目的地までの走行予定経路を探索する。また、制御部２０は、当該ナビゲーションプログラムの機能により、車両の運転者に対して走行予定経路を指示する経路案内を行うことが可能である。接続先案内プログラム２１は、ナビゲーションシステム１０と協働する通話端末５０（例えば、スマートフォン等）と無線通信を行う機能を制御部２０に実現させることができる。
【００１５】
また、通話端末５０は、ナビゲーションシステム１０と接続された状態で、各種の機能を実行することができる。例えば、通話端末５０は、通話端末５０と基地局とで行う移動体通信によって図示しないサーバから地図情報を取得し、ナビゲーションシステム１０に提供する機能や、通話端末５０に保存された音楽情報をストリーミングによってナビゲーションシステム１０に提供する機能を実行することができる。
【００１６】
さらに、通話端末５０は、基地局を介した通信により、ネットワークにアクセス可能な他の通話端末を接続先とした通話を行うことができる。すなわち、通話端末５０は、マイクおよびスピーカーを備えており、マイクによって集音した音声を通信によって送信し、通信によって受信した音声に基づいてスピーカーで音声を再生することができる。本実施形態において、通話端末５０は、１個の接続先との通話中に他の接続先から着信があると、通話中の接続先を保留中とし、他の接続先との通話を可能にする保留機能を備えている。本実施形態においては、通話端末５０の通話機能のユーザインタフェース（音声の入出力等）としてナビゲーションシステム１０を利用するハンズフリー通話機能も実行可能である。
【００１７】
ナビゲーションシステム１０は記録媒体３０を備えており、通話端末５０に記録された接続先に関する情報を取得し、接続先情報３０ａとして記録することができる。接続先情報３０ａには、電話番号と当該電話番号を利用する利用者の氏名とが組になった情報が含まれ、当該情報は予め通話端末５０から転送される。なお、記録媒体３０は、ハードディスクドライブ、ＲＡＭ等の種々の記録媒体によって実現可能である。
【００１８】
ナビゲーションシステム１０が搭載される車両は、通信モジュール４０とユーザＩ／Ｆ部４１とを備えている。通信モジュール４０は、予め決められた周波数帯域の搬送波を利用して他の装置と通信を行うための回路を備えている。本実施形態において、制御部２０は、通信モジュール４０を介し、既定の規格（複数の規格であってもよい）によって通話端末５０と通信を行うことが可能である。なお、本実施形態は、既定の規格の一つがＢｌｕｅｔｏｏｔｈ（登録商標）規格である例である。
【００１９】
ユーザＩ／Ｆ部４１は、利用者の指示を入力し、また利用者に各種の情報を提供するためのインタフェース部である。本実施形態においてユーザＩ／Ｆ部４１は、図示しないタッチパネル方式のディスプレイからなる入力部を兼ねた表示部やマイク等の音の入力部、スピーカー等の出力音の出力部を備えている。制御部２０は、ユーザＩ／Ｆ部４１を制御して、任意の画像をディスプレイに出力させ、任意の音をスピーカーに出力させることができる。
【００２０】
本実施形態における接続先案内プログラム２１は、通話端末５０の接続先をユーザＩ／Ｆ部４１のディスプレイに表示する機能を制御部２０に実現させる。本実施形態においては、ナビゲーションシステム１０が起動されると、予めペアリングされた通話端末５０との通信の確立を試み、通信が確立すると、利用者がナビゲーションシステム１０を操作することによってハンズフリーで通話端末５０を利用できるようになる。当該ハンズフリーでの利用が可能な状態において、通話端末５０に対する着信や通話端末５０での通話が発生すると、ナビゲーションシステム１０は、着信や通話の際の接続先をユーザＩ／Ｆ部４１のディスプレイに表示させる。
【００２１】
本実施形態において、接続先案内プログラム２１は、当該ハンズフリー通話の際の接続先の表示を実行するために、通信部２１ａとハンズフリー通話制御部２１ｂと接続先取得部２１ｃと接続先案内部２１ｄとを備えている。通信部２１ａは、通話端末と接続して無線通信を行う機能を制御部２０に実現させるプログラムモジュールである。本実施形態において制御部２０は、通信部２１ａの処理により、通信モジュール４０を介して、Ｂｌｕｅｔｏｏｔｈ規格の複数の仕様（プロファイル）によって無線通信を行うことが可能である。
【００２２】
ハンズフリー通話制御部２１ｂは、通信部２１ａを介して通話端末を制御してハンズフリー通話を実現する機能を制御部２０に実現させるプログラムモジュールである。制御部２０は、Ｂｌｕｅｔｏｏｔｈ規格において、通話端末５０をハンズフリー端末として接続するためのプロファイル（HFP：Hands-Free Profile）を利用可能である。本実施形態においてナビゲーションシステム１０が起動されると、制御部２０は、通信部２１ａの処理により、HFPによって予めペアリングされた通話端末５０との通信の確立を試みる。
【００２３】
HFPによる通信の確立が成功すると、利用者はユーザＩ／Ｆ部４１を介して通話端末５０を操作することが可能になり、ハンズフリーによって通話端末５０を利用することができる。すなわち、利用者はユーザＩ／Ｆ部４１の入力部によって通話端末５０に関する各種の操作を行うことが可能である。また、利用者の発話はユーザＩ／Ｆ部４１のマイクを介して音声情報化され、通信モジュール４０によって通話端末５０に送信され、通話端末５０によって接続先に対して送信される。接続先の発話を示す音声情報は通話端末５０によって取得され、通話端末５０によって通信モジュール４０に対して送信される。制御部２０は、通信モジュール４０を介して音声情報を取得し、ユーザＩ／Ｆ部４１のスピーカーから音声を出力させる。この結果、ハンズフリー通話が実現される。
【００２４】
接続先取得部２１ｃは、通話端末５０において通話中の接続先と保留中の接続先とが併存した場合、予め決められた期間毎に、通信部２１ａを介して通話端末５０の接続先を取得する機能を制御部２０に実現させるプログラムモジュールである。すなわち、制御部２０は、接続先取得部２１ｃの処理によって、通話端末５０の接続先を取得可能であり、通話中の接続先と保留中の接続先とが併存する場合には、一定期間毎に接続先の確認を行う。
【００２５】
具体的には、制御部２０は、通話中の接続先が存在する状態で他の接続先からの着信があった場合に、当該他の接続先の電話番号を取得する。電話番号が取得されると、制御部２０は、接続先情報３０ａを参照し、当該電話番号に対応づけられた氏名を特定し、ＲＡＭに記録する。制御部２０は、後述する接続先案内部２１ｄの処理により、ユーザＩ／Ｆ部４１に制御信号を出力し、当該電話番号および氏名をユーザＩ／Ｆ部４１のディスプレイに表示させる。この表示に対して、利用者がユーザＩ／Ｆ部４１を操作して、応答（接続の確立）を指示した場合、制御部２０は、既存の接続先が保留中になり、着信した接続先が通話中になることで、通話中の接続先と保留中の接続先とが併存すると見なす。
【００２６】
そして、通話中の接続先と保留中の接続先とが併存した場合、制御部２０は、一定の期間毎に接続先を問い合わせるためのＡＴコマンドを通信部２１ａに出力させる。この結果、通話端末５０から通話中の接続先の電話番号が送信される。保留中の接続先が存在する場合、通話端末５０から保留中の接続先の電話番号も送信される。そこで、制御部２０は、通信部２１ａの処理により、電話番号を取得し、接続先情報３０ａを参照して電話番号に対応づけられた氏名を特定する。この結果、制御部２０は、通信部２１ａを介して通話端末５０の接続先を取得したことになる。取得された電話番号と氏名との組は、通話中の接続先についての電話番号および氏名と、保留中の接続先についての電話番号および氏名とが区別された状態でＲＡＭに記録される。
【００２７】
接続先案内部２１ｄは、取得された通話端末５０の接続先に基づいて、少なくとも通話中の接続先を案内する機能を制御部２０に実現させるプログラムモジュールである。すなわち、制御部２０は、ＲＡＭを参照し、通話中の接続先に対応づけられた電話番号と氏名とを特定する。そして、制御部２０は、当該電話番号と氏名とをディスプレイに表示させるための制御信号をユーザＩ／Ｆ部４１に出力する。この結果、ユーザＩ／Ｆ部４１のディスプレイには、通話中の接続先の電話番号と氏名とが表示される。
【００２８】
通話端末５０においては、通信不良等によって通話中の接続先と保留中の接続先とのいずれかが切断されるなどして、接続先が変化し得る。従って、通話端末５０において通話中の接続先が案内されない構成が採用されている場合、接続先の変化が生じると接続先が不明になってしまう。また、ハンズフリー通話中であっても、通話端末５０を操作すれば、ハンズフリー機能を利用することなく利用者本人または他人が接続先を切り替えることが可能である。従って、通話端末５０において通話中の接続先が案内されない構成が採用されている場合、通話端末５０において接続先が切り替えられると接続先が不明になってしまう。
【００２９】
一方、接続先案内システムにおいて、常に（例えば一定期間毎に）接続先を確認するポーリングが行われる構成では、過度に電力が消費されるとともに、通話端末５０における不具合（フリーズ等）を生じさせてしまう。しかし、本実施形態においては、通話端末５０において通話中の接続先と保留中の接続先とが併存した場合に、制御部２０が予め決められた期間毎に、通信部２１ａを介して通話端末５０の接続先を取得し、案内する。従って、過度に電力を消費することはないし、通話端末５０における不具合を誘発する可能性を低減することができる。
【００３０】
さらに、本実施形態において、通話中と保留中の２個の接続先が併存する場合には、少なくとも当該期間毎に正確な接続先を特定することが可能になり、ユーザＩ／Ｆ部４１のディスプレイでは通話中の接続先が案内される。従って、通話端末５０における通信不良等によって通話中の接続先と保留中の接続先とのいずれかが切断された場合や、利用者がハンズフリー機能によらずに通話端末５０側で接続先を切り替えたとしても通話中の接続先が不明になる可能性を低減することができる。
【００３１】
（２）接続先案内処理：
次に、接続先案内処理について詳細に説明する。図２および図３は、接続先案内処理のフローチャートである。図２および図３においては、ナビゲーションシステム１０における処理と通話端末５０における処理を並列に示している。また、ここでは、ナビゲーションシステム１０とのペアリングが予め行われる通話端末５０が既に電源オンであることが想定されている。ナビゲーションシステム１０の電源がオンになると、ナビゲーションシステム１０と通話端末５０とで接続を確立する処理が行われる。
【００３２】
図２に示す例においては、ナビゲーションシステム１０の電源がオンにされると（ステップＳ１００）、制御部２０が接続先案内プログラム２１の実行を開始し、ステップＳ１０５以降の処理を実行する。この例において、制御部２０は、通信部２１ａおよびハンズフリー通話制御部２１ｂの処理により、ハンズフリー接続を行う（ステップＳ１０５）。すなわち、制御部２０は、通信モジュール４０を介して通話端末５０に対してHFPの接続要求を行う。通話端末５０が当該接続要求を受信すると、通話端末５０は当該接続要求に対する応答を送信してハンズフリー接続を確立する（ステップＳ２０５）。
【００３３】
ハンズフリー接続が行われると、利用者は、ユーザＩ／Ｆ部４１を操作することにより、通話端末５０自体を操作することなく通話端末５０に関する各種の機能を利用することが可能になる。すなわち、利用者はハンズフリーで通話端末５０の通話機能等を利用することが可能になる。
【００３４】
HFPによってハンズフリー接続が行われている状態において、通話端末５０に着信があると（ステップＳ２１０）、通話端末５０は、着信した接続先の電話番号をナビゲーションシステム１０に通知する。当該通知は種々の仕様で実現されて良く、例えば、ＡＴコマンド等によって実現されて良い。いずれにしても、本実施形態においては、通話端末５０から接続先の電話番号が通知されると、ナビゲーションシステム１０の制御部２０は、通信部２１ａを介して当該通知を受信する。そして、制御部２０は接続先取得部２１ｃおよび接続先案内部２１ｄの処理により、接続先を表示する（ステップＳ１１０）。
【００３５】
すなわち、制御部２０は、接続先取得部２１ｃの処理により接続先情報３０ａを参照し、通知された電話番号に対応づけられた氏名を特定する。そして、制御部２０は、接続先案内部２１ｄの処理により、ユーザＩ／Ｆ部４１に制御信号を出力し、着信中の接続先の電話番号と当該電話番号を利用する利用者の氏名をディスプレイに表示させる。
【００３６】
当該表示に基づいて利用者がユーザＩ／Ｆ部４１を操作して、着信に対する応答の指示（通話開始の指示）を行うと、制御部２０は、ユーザＩ／Ｆ部４１の出力信号に基づいて当該応答指示を受け付ける（ステップＳ１２０）。この場合、制御部２０は、通信部２１ａを介して、通話端末５０に応答要求を出力する。この結果、通話端末５０は、ステップＳ２１０で着信した接続先との接続を確立して通話処理を開始する（ステップＳ２２０）。すなわち、通話端末５０は、基地局からの音声信号をナビゲーションシステム１０に転送し、ナビゲーションシステム１０からの音声信号を基地局に送信する。この状態において、利用者はナビゲーションシステム１０を利用して通話を行うことができる。
【００３７】
通話が開始されると、通話端末５０はステップＳ２１０で着信した接続先と通話中の状態となる（ステップＳ２２５）。また、制御部２０は、制御部２０は接続先案内部２１ｄの処理により、接続先を表示する（ステップＳ１２５）。すなわち、制御部２０は、接続先案内部２１ｄの処理により、ユーザＩ／Ｆ部４１に制御信号を出力し、ＲＡＭに記録された通話中の接続先の情報（電話番号および氏名）をディスプレイに表示させる。
【００３８】
図４Ａは、当該通話中のディスプレイの表示例を示す図である。同図においては、通話中であることと、接続先の氏名（ＡＡＡＡ）および電話番号（０９０１１１１２２２２）が表示されている。さらに、本例のディスプレイにおいては、受話器を模したアイコンが表示されており、利用者は当該アイコンによって接続の終了指示を行うことが可能である。具体的には、アイコンＰ1は着信に対する応答を指示するためのアイコンであり、アイコンＰ2は接続の終了を指示するためのアイコンである。
【００３９】
この例においては、アイコンＰ1が白で着色されることによってアイコンによる指示が無効化されていることを示し、アイコンＰ2が黒で着色されることによってアイコンによる指示が有効化されていることを示している（着色の意味については図４Ｂ〜図４Ｄにおいても同様）。すなわち、図４Ａに示す例は、ステップＳ１２５のように１個の接続先と通話中であって着信中ではない場合の例であり、着信に対する応答は選択不可であり、接続の終了は選択可能である。
【００４０】
このように１個の接続先と通話中である状態において、通話端末５０にさらに割込着信があると（ステップＳ２３０）、通話端末５０は、割込着信した接続先の電話番号をナビゲーションシステム１０に通知する。通話端末５０から接続先の電話番号が通知されると、ナビゲーションシステム１０の制御部２０は、通信部２１ａを介して当該通知を受信し、接続先取得部２１ｃおよび接続先案内部２１ｄの処理により、接続先を表示する（ステップＳ１３０）。
【００４１】
すなわち、制御部２０は、接続先取得部２１ｃの処理により接続先情報３０ａを参照し、通知された電話番号に対応づけられた氏名を特定する。そして、制御部２０は、接続先案内部２１ｄの処理により、ユーザＩ／Ｆ部４１に制御信号を出力し、割込着信中であることと、当該割込着信中の接続先の電話番号と当該電話番号を利用する利用者の氏名をディスプレイに表示させる。
【００４２】
図４Ｂは、ディスプレイの表示例を示す図である。同図においては、割込着信中（呼び出し中）であることと、接続先の氏名（ＢＢＢＢ）および電話番号（０９０１１１１３３３３）が表示されている。さらに、本例のディスプレイにおいて利用者は、アイコンＰ1による割込着信に対する応答指示と、アイコンＰ2による接続終了指示との双方を選択可能である。すなわち、図４Ｂにおいては、利用者は割込着信に対して応答開始、接続終了のいずれかをアイコンＰ1、Ｐ2によって選択することができる。
【００４３】
ここでは、当該表示に基づいて利用者がユーザＩ／Ｆ部４１を操作して、割込着信に対する応答の指示（通話開始の指示）を行った場合を想定する。この場合、制御部２０は、ユーザＩ／Ｆ部４１の出力信号に基づいて当該応答指示を受け付け（ステップＳ１３５）、通信部２１ａを介して、通話端末５０に応答要求を出力する。
【００４４】
この結果、通話端末５０は、ステップＳ２３０で割込着信した接続先との接続を確立して通話処理を開始し、ステップＳ２２５で通話中であった接続先との通話を保留する保留処理を開始する（ステップＳ２３５）。すなわち、通話端末５０は、ステップＳ２２５で通話中であった接続先からの音声信号をナビゲーションシステム１０に転送せず、ナビゲーションシステム１０からの音声信号を当該接続先には送信しない。
【００４５】
一方、割込着信した接続先からの音声信号をナビゲーションシステム１０に転送し、ナビゲーションシステム１０からの音声信号を割込着信した接続先に送信する。この状態において、利用者はナビゲーションシステム１０を利用して割込着信した接続先と通話を行うことができる。通話および保留が開始されると、通話端末５０はステップＳ２３０で割込着信した接続先と通話中であり、ステップＳ２１０で着信した接続先と保留中の状態となる（ステップＳ２４０）。
【００４６】
また、制御部２０は接続先案内部２１ｄの処理により、接続先を表示する（ステップＳ１４０）。すなわち、制御部２０は、接続先案内部２１ｄの処理により、ユーザＩ／Ｆ部４１に制御信号を出力し、ＲＡＭに記録された通話中の接続先の情報（電話番号および氏名）をディスプレイに表示させる。
【００４７】
図４Ｃは、割込着信した接続先と通話している場合におけるディスプレイの表示例を示す図である。同図においては、接続先と通話中であることと、接続先の氏名（ＢＢＢＢ）および電話番号（０９０１１１１３３３３）が表示されている。さらに、この状態において着信中（呼び出し中）の接続先は存在しないため、利用者は、アイコンＰ1による応答指示を行うことはできないが、割込着信した後に通話中となった接続先についてアイコンＰ2によって接続終了の指示を行うことは可能である。
【００４８】
このように１個の接続先と通話中であり、他の１個の接続先が保留中である状態、すなわち、通話中の接続先と保留中の接続先とが併存した場合、制御部２０は、図３に示すフローチャートに従った処理を実行し、一定期間毎に接続先を取得する。このために、まず制御部２０は、接続先取得部２１ｃの処理により、通信部を介して接続先を取得する（ステップＳ１５０）。すなわち、制御部２０は、ＡＴコマンド等を利用し、通話端末５０に対して接続先の応答要求を出力する。
【００４９】
接続先の応答要求が出力されると、通話端末５０は、当該接続先の応答要求に応じて接続先を応答する（ステップＳ２５０）。すなわち、通話端末５０は、通話中および保留中の接続先の電話番号を取得し、通話中の接続先の電話番号と、保留中の接続先の電話番号とを区別可能な情報を生成し、ナビゲーションシステム１０に対して出力する。なお、図３においては、通話中の電話番号が０９０１１１１３３３３、保留中の電話番号が０９０１１１１２２２２である状態（図４Ｃに示す状態）を例示している。
【００５０】
次に、制御部２０は、接続先案内部２１ｄの処理により、通話中の接続先を案内する（ステップＳ１５５）。すなわち、制御部２０は、ステップＳ１５０で取得した接続先の中から、通話中の接続先の電話番号を取得し、接続先情報３０ａを参照して当該電話番号に対応づけられた氏名を特定する。さらに、制御部２０は、ユーザＩ／Ｆ部４１に制御信号を出力し、通話中の接続先についての電話番号および氏名をディスプレイに表示させる。通話中の接続先が、図３に示す接続先（電話番号０９０１１１１３３３３）である場合、ステップＳ１５５により、図４Ｃに示す案内が行われる。むろん、この状況において、利用者がユーザＩ／Ｆ部４１を利用して通話先の変更や通話の終了等を指示可能であって良く、当該指示が行われると、制御部２０は当該指示に応じて通話先の変更や通話の終了を行うための制御信号を通話端末５０に対して出力する。
【００５１】
次に、制御部２０は、接続先取得部２１ｃの処理により、保留中の接続先が存在するか否かを判定する（ステップＳ１５７）。すなわち、制御部２０は、ステップＳ１５０で取得された接続先に保留中の接続先の電話番号が含まれていた場合、保留中の接続先が存在すると判定する。ステップＳ１５７において、保留中の接続先が存在すると判定された場合、制御部２０は、接続先取得部２１ｃの処理により、一定期間経過したか否か判定する（ステップＳ１６０）。
【００５２】
当該一定期間は予め決められていれば良く、例えば、１秒の期間等である。ステップＳ１６０において、一定期間経過したと判定されない場合、制御部２０は、ステップＳ１６０の判定を繰り返す。ステップＳ１６０において、一定期間経過したと判定された場合、制御部２０は、ステップＳ１５０以降の処理を繰り返す。以上の処理によれば、接続先が変化しない限り、同一の接続先が通話中として表示されながら通話が継続する。
【００５３】
一方、通話中の接続先が変化した場合、表示が修正され得る。例えば、図３に示すように電話番号０９０１１１１３３３３の接続先と通話中であり、電話番号０９０１１１１２２２２の接続先が保留中である状態で、通信不良や利用者による通話端末５０の操作等によって通話中の接続先が切断された場合を想定する。この場合、通話端末５０においては、保留中であった接続先を通話中の接続先に修正する。この結果、利用者は修正後の接続先と通話を行うことが可能になる。
【００５４】
ただし、本実施形態にかかる通話端末５０は、通信不良や利用者による通話端末５０の操作等によって通話中の接続先が切断された場合、通話中の接続先が切断されたことや、接続先の修正が行われたことをナビゲーションシステム１０に対して通知しない。従って、通話中の接続先が電話番号０９０１１１１２２２２に修正され、保留中の接続先が存在しない状態になった場合、元の接続先の切断直後において、一瞬ユーザＩ／Ｆ部４１のディスプレイの表示が不正確になり得る。
【００５５】
しかし、本実施形態においては、ステップＳ１６０を経てステップＳ１５０が行われることにより、ディスプレイの表示が正確な内容に修正される。すなわち、ステップＳ１５０が行われると、接続先として、通話中の電話番号０９０１１１１２２２２が取得され、保留中の電話番号は取得されなくなる。この場合、ステップＳ１５５で通話中の接続先が案内され、この段階で図４Ｃに示す表示は図４Ｄに示す表示に修正される。この結果、利用者にとって接続先が不明になる可能性が低減される。
【００５６】
通話中の接続先の修正等によって保留中の接続先が存在しなくなると、ステップＳ１５０〜Ｓ１６０のループの過程において、ステップＳ１５７で保留中の接続先が存在すると判定されなくなる。この場合、制御部２０は、ステップＳ１６０をスキップし、１個の接続先とハンズフリー通話を行う状況（すなわち、ステップＳ１２５の後と同等の状況）に復帰する。この場合、制御部２０は、一定期間毎に通話端末５０の接続先の取得する処理を停止することになる。従って、接続先が併存していない場合にまで接続先の取得が一定期間毎に継続されることは無く、過度の電力消費の抑制と通話端末５０における不具合の発生の防止を実現することができる。
【００５７】
（３）他の実施形態：
以上の実施形態は本発明を実施するための一例であり、他にも種々の実施形態を採用可能である。例えば、ナビゲーションシステム１０とともに移動する移動体は任意であり、車両であっても良いし、歩行者であっても良く、種々の例が想定される。また、接続先案内システムは、車両等に搭載された装置であっても良いし、可搬型の端末によって実現される装置であっても良いし、複数の装置（例えば、クライアントとサーバ）によって実現されるシステムであっても良い。
【００５８】
さらに、接続先案内システムを構成する通信部２１ａ、ハンズフリー通話制御部２１ｂ、接続先取得部２１ｃ、接続先案内部２１ｄの少なくとも一部が複数の装置に分かれて存在していても良い。例えば、通信部２１ａやハンズフリー通話制御部２１ｂの機能の一部が通信モジュール４０内の制御部で実現されてもよい。むろん、上述の実施形態の一部の構成が省略されてもよいし、処理の順序が変動または省略されてもよい。さらに、通話中および保留中の接続先が存在する通話端末において、通話中の接続先が切断された場合に、利用者の指示等がなければ保留中の接続先が通話中に切り替わらない構成であってもよい。この場合、図３に示すステップＳ１５５においては、通話中または保留中のいずれかの接続先が案内されることになる。ステップＳ１５７においては、接続先が１個であるか否かが判定され、接続先が１個でない場合にステップＳ１６０が実行され、接続先が１個である場合にステップＳ１６０がスキップされる。従って、接続先が１個である場合、通話端末の接続先の取得は停止される。
【００５９】
通信部は、通話端末と接続して無線通信を行うことができればよい。無線通信は、種々の態様で実現されて良く、例えば、無線通信を行うための手順等が予め仕様として決められており、当該仕様に従って無線通信が行われる構成等を採用可能である。仕様としては、種々の仕様が採用されてよく、例えば、Ｂｌｕｅｔｏｏｔｈ（登録商標）規格による無線通信であってもよいし、Ｗｉ-Ｆｉ規格（登録商標）による無線通信であっても良い。
【００６０】
ハンズフリー通話制御部は、通信部を介して通話端末を制御してハンズフリー通話を実現することができればよい。すなわち、ハンズフリー通話制御部は、予め決められた制御信号を通話端末に出力し、または、通話端末から予め決められた制御信号を取得し、または制御信号の出力と取得の双方を行って、通話端末の通話機能を利用する端末として接続先案内システムを利用できるようにする。むろん、ここでも、通信手順等が予め仕様として策定されている構成であって良く、例えば、Ｂｌｕｅｔｏｏｔｈ規格において、端末をハンズフリー端末として接続するためのプロファイル（HFP：Hands-Free Profile）によってハンズフリー通話が実現される構成等が挙げられる。
【００６１】
接続先取得部は、通話端末において通話中の接続先と保留中の接続先とが併存した場合、予め決められた期間毎に、通信部を介して通話端末の接続先を取得することができればよい。すなわち、接続先取得部は、通話端末において通話中の接続先と保留中の接続先とが併存したか否かを特定する。当該併存の特定は、種々の態様で実現されて良い。例えば、通話中の接続先が存在する場合に、割込の着信があり、割込の着信に対する応答が行われた（すなわち、割込の着信に対して接続された）場合に併存が生じたと特定する構成であっても良いし、２個の着信に対して応答が行われ（すなわち、着信に対して接続され）、かつ、応答された着信に対する切断が行われていない場合に併存が生じたと特定する構成であっても良い。
【００６２】
接続先が併存する状態においては、少なくとも１個の接続先と通話が行われ、少なくとも１個の接続先との通話が保留されている状態であれば良い。従って、通話中の接続先は、通話端末における通話中に割込着信があった場合において、通話中であった接続先であっても良いし、割込着信に応答することで通話中となった接続先であっても良い。一方、保留中の接続先は、通話端末における通話中に割込着信があった場合において、通話が保留されることで保留中となった元の接続先であっても良いし、割込着信に対する応答後に割込着信した接続先が保留されることで保留中となった接続先であっても良い。
【００６３】
通話端末の接続先の取得は、予め決められた期間毎に行われれば良く、当該期間は予め長さまたは長さの変化態様が決められた期間であれば良く、一定の期間であっても良いし、可変の期間（例えば、時間の経過とともに長く、または短くなる期間）であっても良い。接続先の取得は、種々の態様で実現されて良く、例えば、ＡＴコマンドを通話端末に送信し、通話端末から接続先に関する情報が返信されることで実現される態様等が挙げられる。
【００６４】
接続先案内部は、取得された通話端末の接続先に基づいて、少なくとも通話中の接続先を案内する構成であれば良い。すなわち、接続先が併存する場合において、通話中の接続先が明らかになるように案内されれば、接続先の切り替えが行われた場合であっても接続先が不明になる可能性を低減することができる。案内の態様は、種々の態様が想定可能であり、接続先として登録された者の氏名や電話番号等が画像や音声等で案内される構成等が想定可能である。むろん、接続先の案内においては、保留中の接続先が案内されても良い。
【００６５】
さらに、取得された通話端末の接続先が１個である場合、接続先取得部が、通話端末の接続先の取得を停止してもよい。すなわち、接続先が変化したか否かは、接続先取得部が接続先の取得を行うことによって特定される。
【００６６】
そして、取得された通話端末の接続先が１個になった場合、併存していた接続先の一方が切断されたことになる。従って、保留中の接続先が存在しないことが確認されたならば、通話端末の接続先の取得を停止することで、過度の電力消費の抑制と通話端末における不具合の発生の防止を実現することができる。なお、通話端末において、通話中と保留中の接続先が存在する場合に、いずれか一方が切断されると残りの一方が通話中となる構成であれば、接続先に保留中の接続先が含まれなくなったか否かを判定することにより、通話端末の接続先が１個であるか否かを判定しても良い。
【００６７】
さらに、この構成においては、接続先案内部が、取得された通話端末の接続先が示す、通話中の接続先を案内することが好ましい。すなわち、接続先が減った後に通話中となっている接続先が確実に案内されることで、通話中の接続先が不明になる可能性をより確実に低減することができる。なお、接続先の案内は、通話端末の接続先に保留中の接続先が含まれなくなった場合に実行されればよく、予め決められた期間毎の接続先の取得が停止された後に案内が行われても良いし、停止される前に案内が行われてもよい。
【００６８】
さらに、本発明のように、接続先が併存する場合に通話端末の接続先を取得して案内する手法は、プログラムや方法としても適用可能である。また、以上のようなシステム、プログラム、方法は、単独の装置として実現される場合や、複数の装置によって実現される場合が想定可能であり、各種の態様を含むものである。例えば、以上のような構成を備えたナビゲーションシステムや方法、プログラムを提供することが可能である。また、一部がソフトウェアであり一部がハードウェアであったりするなど、適宜、変更可能である。さらに、システムを制御するプログラムの記録媒体としても発明は成立する。むろん、そのソフトウェアの記録媒体は、磁気記録媒体であってもよいし光磁気記録媒体であってもよいし、今後開発されるいかなる記録媒体においても全く同様に考えることができる。
【符号の説明】
【００６９】
１０…ナビゲーションシステム、２０…制御部、２１…接続先案内プログラム、２１ａ…通信部、２１ｂ…ハンズフリー通話制御部、２１ｃ…接続先取得部、２１ｄ…接続先案内部、３０…記録媒体、３０ａ…接続先情報、４０…通信モジュール、４１…ユーザＩ／Ｆ部、５０…通話端末
【図１】
2018026739.tif 000003
【図２】
2018026739.tif 000004
【図３】
2018026739.tif 000005
【図４】
2018026739.tif 000006